(57)【要約】【課題】集積された媒体を効率良く分離及び搬送し得るようにする。【解決手段】小切手処理装置１は、入金読取処理において重送が発生した場合、第２搬送ローラ対４２等を非伝達状態に遷移させ、フィードローラ３３等を逆転させて小切手ＣＫを分離ゲート１２Ｇよりも前方へ戻す。その後、小切手処理装置１は、第２搬送ローラ対４２等を再び伝達状態に遷移させ、フィードローラ３３等を正転させて入金読取処理を再開する。これにより小切手処理装置１では、正常に１枚ずつに分離された小切手ＣＫについて入金読取処理をそのまま継続する一方、重送された小切手ＣＫのみを分離ゲート１２Ｇよりも前方に戻して分離部１２による分離処理を再度行うことができるので、入金取引処理を極めて短い時間で完了できる。【選択図】図６
2018188278.tif 000002
【特許請求の範囲】
【請求項１】
集積された紙葉状の媒体を１枚ずつに分離して繰り出す分離部と、
前記分離部から繰り出された前記媒体が重送されているか否かを検知する重送検知部と、
前記分離部から繰り出された前記媒体に対し、所定の搬送経路に沿った搬送方向、又は該搬送方向と異なる他方向へ駆動力を伝達して搬送する第１搬送部と、
前記第１搬送部から前記媒体を受け取り前記搬送経路に沿って搬送する第２搬送部と、
前記分離部、前記第１搬送部及び前記第２搬送部を制御する制御部と
を具え、
前記第１搬送部は、前記媒体に前記搬送方向への駆動力を伝達する搬送駆動部と、該媒体に該搬送方向と異なる他方向への駆動力を伝達する他駆動部とをさらに具えると共に、該搬送駆動部及び該他駆動部を、前記媒体に駆動力を伝達する伝達状態又は該媒体に駆動力を伝達しない非伝達状態にそれぞれ遷移させる状態遷移部を具え、
前記制御部は、前記分離部から繰り出された前記媒体が重送されていることを前記重送検知部により検知した場合、前記第１搬送部の前記搬送駆動部を前記状態遷移部により前記非伝達状態に切り替えさせ、前記分離部により前記媒体を前記搬送方向と反対の逆搬送方向へ進行させる
ことを特徴とする媒体処理装置。
【請求項２】
前記第１搬送部の前記搬送駆動部及び前記第２搬送部は、同一の駆動力源から供給される駆動力を基に前記媒体をそれぞれ搬送する
ことを特徴とする請求項１に記載の媒体処理装置。
【請求項３】
前記第１搬送部の前記搬送駆動部及び前記第２搬送部は、互いに異なる駆動力源から供給される駆動力を基に前記媒体をそれぞれ搬送する
ことを特徴とする請求項１に記載の媒体処理装置。
【請求項４】
前記制御部は、前記分離部から繰り出された前記媒体が重送されていることを前記重送検知部により検知した場合、前記第１搬送部の前記搬送駆動部を停止させると共に前記状態遷移部により前記非伝達状態に切り替えさせ、前記分離部により前記媒体を前記搬送方向と反対の逆搬送方向へ進行させた後、前記第１搬送部に前記媒体が残留していた場合に、前記第１搬送部の前記搬送駆動部を前記状態遷移部により前記伝達状態に切り替えさせ、残留している前記媒体を該搬送駆動部により逆搬送方向へ進行させる
ことを特徴とする請求項３に記載の媒体処理装置。
【請求項５】
前記第１搬送部において前記媒体の前記他方向への搬送を完了したことを検知する他方向搬送完了検知部をさらに具え、
前記制御部は、前記第１搬送部に前記媒体が残留しており、且つ前記他方向搬送完了検知部により該媒体の前記他方向への搬送を完了したことを検知した場合に、前記第１搬送部の前記搬送駆動部を前記状態遷移部により前記伝達状態に切り替えさせ、残留している前記媒体を該搬送駆動部により搬送方向へ進行させる
ことを特徴とする請求項４に記載の媒体処理装置。
【請求項６】
前記第１搬送部の前記搬送駆動部は、前記搬送経路を挟んで配置された複数のローラであり、前記伝達状態において前記ローラにより前記媒体を挟んで前記駆動力を伝達し、前記非伝達状態において前記ローラを引き離す
ことを特徴とする請求項１に記載の媒体処理装置。
【請求項７】
前記制御部は、前記分離部から繰り出された前記媒体が重送されていることを前記重送検知部により検知した場合、前記第２搬送部において前記媒体を前記搬送経路に沿って引き続き搬送させる
ことを特徴とする請求項１に記載の媒体処理装置。
【請求項８】
前記制御部は、前記重送検知部により前記分離部から繰り出された前記媒体が重送されていることを検知した場合、前記第２搬送部において前記媒体を停止させ、重送された前記媒体が前記分離部に戻された後、該第２搬送部における前記媒体の搬送を再開させる
ことを特徴とする請求項１に記載の媒体処理装置。
【請求項９】
前記制御部は、前記重送検知部により前記分離部から繰り出された前記媒体が重送されていることを検知して前記分離部により前記媒体を逆搬送方向へ進行させ、該媒体が前記分離部に戻された後、前記第１搬送部の前記搬送駆動部を前記状態遷移部により前記伝達状態に切り替えさせ、前記分離部により前記媒体を再度分離させる
ことを特徴とする請求項１に記載の媒体処理装置。
【発明の詳細な説明】
【技術分野】
【０００１】
本発明は媒体処理装置に関し、例えば小切手等の媒体による入金処理を行う小切手処理装置に適用して好適なものである。
【背景技術】
【０００２】
従来、小切手処理装置においては、金融機関等において顧客との間で媒体としての小切手による入金取引を行うものが普及している。この小切手処理装置としては、入金取引において行う入金処理として、例えば長方形状の紙でなる小切手を搬送部により所定の搬送路に沿って搬送しながら、表面及び裏面を撮像して画像データを生成する処理や、処理済であることを表す文字等を印刷する処理等を行うものが提案されている（例えば、特許文献１参照）。
【先行技術文献】
【特許文献】
【０００３】
【特許文献１】特開２００２−２５５３９３号公報（図１）
【発明の概要】
【発明が解決しようとする課題】
【０００４】
ところで、小切手処理装置の中には、集積された複数枚の小切手を１枚ずつに分離して繰り出す分離部を有するものがある。このような小切手処理装置では、例えば顧客により複数枚の小切手が集積された状態で所定の投入口に投入されると、これを分離部により１枚ずつに分離する分離処理を行うことにより、搬送部において小切手を１枚ずつ搬送できるため、顧客に小切手を１枚ずつに分けて投入させる手間を省略できる。
【０００５】
しかしながら、一般に小切手は大きさや厚さ、或いは紙質等が統一されておらず、様々な種類のものが存在する。このため小切手処理装置では、分離部において分離処理を行ったとしても小切手を１枚ずつに正しく分離できず、２枚以上を重ねて繰り出す、いわゆる重送を発生させてしまう場合がある。
【０００６】
そこで小切手処理装置では、分離部の下流側に配置された搬送部における、該分離部の直近となる箇所に、小切手の重送を検出する重送検出センサを設けたものがある。この小切手処理装置では、小切手の重送を検出した場合、直ちにこの小切手を逆送させて分離部へ戻すことにより、この小切手に対して分離処理を再度行い、１枚ずつへの分離を試みることができる。
【０００７】
しかしながら小切手処理装置では、重送を検出した小切手を逆送させて搬送部から分離部へ戻す際、搬送部の構成により、搬送路上を先行して搬送されている他の小切手も逆送させることになる場合がある。このような場合、小切手処理装置では、入金取引に要する時間を格段に増加させ、顧客を長時間待たせることになる、という問題があった。
【０００８】
本発明は以上の点を考慮してなされたもので、集積された媒体を効率良く分離及び搬送し得る媒体処理装置を提案しようとするものである。
【課題を解決するための手段】
【０００９】
かかる課題を解決するため本発明の媒体処理装置においては、集積された紙葉状の媒体を１枚ずつに分離して繰り出す分離部と、分離部から繰り出された媒体が重送されているか否かを検知する重送検知部と、分離部から繰り出された媒体に対し、所定の搬送経路に沿った搬送方向、又は該搬送方向と異なる他方向へ駆動力を伝達して搬送する第１搬送部と、第１搬送部から媒体を受け取り搬送経路に沿って搬送する第２搬送部と、分離部、第１搬送部及び第２搬送部を制御する制御部とを設け、第１搬送部は、媒体に搬送方向への駆動力を伝達する搬送駆動部と、該媒体に該搬送方向と異なる他方向への駆動力を伝達する他駆動部とをさらに具えると共に、該搬送駆動部及び該他駆動部を、媒体に駆動力を伝達する伝達状態又は該媒体に駆動力を伝達しない非伝達状態にそれぞれ遷移させる状態遷移部を具え、制御部は、分離部から繰り出された媒体が重送されていることを重送検知部により検知した場合、第１搬送部の搬送駆動部を状態遷移部により非伝達状態に切り替えさせ、分離部により媒体を搬送方向と反対の逆搬送方向へ進行させるようにした。
【００１０】
本発明は、分離部から繰り出された媒体が重送されていた場合、第１搬送部の搬送駆動部及び他駆動部を非伝達状態に遷移させ、重送されていた媒体を分離部により逆搬送方向へ進行させることにより、分離処理を再試行することができる。その一方で本発明は、第１搬送部の搬送駆動部及び他駆動部が非伝達状態に遷移されているため、該第１搬送部における駆動力の伝達を考慮すること無く、第２搬送部において他の正常に分離された媒体を継続して搬送できる。
【発明の効果】
【００１１】
本発明によれば、集積された媒体を効率良く分離及び搬送し得る媒体処理装置を実現できる。
【図面の簡単な説明】
【００１２】
【図１】第１の実施の形態による小切手処理装置の構成を示す略線図である。
【図２】アライナ部の構成を示す略線的斜視図である。
【図３】分離部及びアライナ部の構成を示す略線的平面図である。
【図４】分離部及びアライナ部の構成を示す略線的側面図である。
【図５】搬送ローラ対の構成を示す略線図である。
【図６】第１の実施の形態における重送解消処理手順を示すフローチャートである。
【図７】第１の実施の形態における小切手の搬送の様子（１）を示す略線図である。
【図８】第１の実施の形態における小切手の搬送の様子（２）を示す略線図である。
【図９】第１の実施の形態における小切手の搬送の様子（３）を示す略線図である。
【図１０】第１の実施の形態における小切手の搬送の様子（４）を示す略線図である。
【図１１】第２の実施の形態による小切手処理装置の構成を示す略線図である。
【図１２】第２の実施の形態における重送解消処理手順を示すフローチャートである。
【図１３】第２の実施の形態における小切手の搬送の様子（１）を示す略線図である。
【図１４】第２の実施の形態における小切手の搬送の様子（２）を示す略線図である。
【発明を実施するための形態】
【００１３】
以下、発明を実施するための形態（以下実施の形態とする）について、図面を用いて説明する。
【００１４】
［１．第１の実施の形態］
［１−１．小切手処理装置の構成］
図１に模式的な左側面図を示すように、第１の実施の形態による小切手処理装置１は、例えば金融機関等に設置される自動取引装置（図示せず）の内部に組み込まれており、利用者（すなわち金融機関の顧客）との間で小切手の入金取引に関する処理を行う。媒体処理装置としての小切手処理装置１は、全体として直方体状に形成されたフレーム２の内部に、媒体としての小切手に関する種々の処理を行う複数の処理ユニットが組み込まれた構成となっている。
【００１５】
以下では、小切手処理装置１のうち顧客が対峙する側を前側とし、その反対を後側とし、当該前側に対峙した顧客から見て左及び右をそれぞれ左側及び右側とし、さらに上側及び下側を定義して説明する。
【００１６】
自動取引装置（図示せず）には、全体を統括的に制御する統括制御部や、利用者に向けて種々の情報を表示する表示部（図示せず）、或いは該利用者の操作指示を受け付けて統括制御部に通知する操作部（図示せず）等が設けられている。
【００１７】
小切手処理装置１は、制御部３により、自動取引装置の統括制御部（図示せず）と連携しながら、全体を制御するようになっている。この制御部３は、図示しないＣＰＵ（Central Processing Unit）を中心に構成されており、図示しないＲＯＭ（Read Only Memory）やフラッシュメモリ等から所定のプログラムを読み出して実行することにより、入金取引に関する種々の処理を行う。また制御部３は、内部にＲＡＭ（Random Access Memory）、ハードディスクドライブやフラッシュメモリ等でなる記憶部を有しており、この記憶部に各種プログラムや入金取引に関する種々の情報を記憶させている。
【００１８】
フレーム２の上部における前側約半分の部分には、利用者との間で小切手を受け渡すバンドル部１１が配置されている。バンドル部１１の前端には、開閉可能なシャッタ１１Ｓが設けられている。制御部３は、上述した操作部（図示せず）を介して利用者から入金取引の開始を指示する操作を受け付けると、バンドル部１１に対しシャッタ１１Ｓを開放させるよう制御する。
【００１９】
これに応じてバンドル部１１は、利用者に対し束状に集積された小切手ＣＫ（以下これを束小切手ＣＫＢとも呼ぶ）を内部に挿入させ、その後シャッタ１１Ｓを閉塞することにより、内部に保有する小切手ＣＫを保護する。因みに小切手ＣＫは、長方形の紙により構成され、その表面に金額等の情報が表示されている。また束小切手ＣＫＢは、各小切手ＣＫの長辺を前後に沿わせ、短辺を左右方向に沿わせると共に、金額等が記載された表面を上に向けた姿勢で挿入される。
【００２０】
バンドル部１１は、内部に設けられた束搬送機構により前後方向に沿った束搬送路ＷＢを形成しており、束小切手ＣＫＢをこの束搬送路ＷＢに沿って後方向へ搬送し、該バンドル部１１の後端近傍に設けられた分離部１２の前側に到達させる。分離部１２は、束小切手ＣＫＢの上面側から小切手ＣＫを１枚ずつに分離し、後方のアライナ部１３に順次引き渡していく（詳しくは後述する）。
【００２１】
アライナ部１３は、主に前後方向に沿った搬送経路でなる第１搬送路Ｗ１を内部に構成しており、この第１搬送路Ｗ１に沿って第１搬送ローラ対４１、第２搬送ローラ対４２及び第３搬送ローラ対４３が所定間隔ごとに配置されている。このアライナ部１３は、各搬送ローラを適宜回転させることにより、分離部１２から受け取った小切手ＣＫをこの第１搬送路Ｗ１に沿って後方へ順次搬送し、さらに該小切手ＣＫを第１搬送路Ｗ１における幅方向（すなわち左右方向）の一方、例えば右方向へ幅寄せした上で、後方及び下方に配置されたスキャナ部１４に引き渡す（詳しくは後述する）。説明の都合上、以下では後方向を搬送方向とも呼び、その反対である前方向を逆搬送方向とも呼ぶ。また右方向を幅寄せ方向とも呼ぶ。
【００２２】
スキャナ部１４は、主に上下方向に沿った搬送経路でなる第２搬送路Ｗ２の下端と、主に前後方向に沿った第３搬送路Ｗ３の後端と、主に上下方向に沿った第４搬送路Ｗ４の上端とが第１切替部１５を介して互いに接続されている。このスキャナ部１４には、各搬送路に沿って、アライナ部１３の各搬送ローラ対と同様に構成された搬送ローラ対が適宜配置されている。
【００２３】
第２搬送路Ｗ２は、アライナ部１３の後側に接続され前後方向に沿った短い部分と、上下方向に沿った部分とにより構成されており、該アライナ部１３から受け取った小切手ＣＫを第１切替部１５へ搬送する。第１切替部１５は、いわゆる３ウェイの切替器となっており、制御部３の制御に基づいて、第２搬送路Ｗ２及び第３搬送路Ｗ３を接続し、又は第３搬送路Ｗ３及び第４搬送路Ｗ４を接続し、或いは第２搬送路Ｗ２及びＷ４を接続する。例えば制御部３は、入金取引において第１切替部１５において第２搬送路Ｗ２及び第３搬送路Ｗ３を接続することにより、該第２搬送路Ｗ２により搬送されてきた小切手ＣＫを第３搬送路Ｗ３に引き渡す。
【００２４】
第３搬送路Ｗ３は、アライナ部１３のほぼ真下に位置しており、第１切替部１５から受け取った小切手ＣＫを前方へ搬送しながら、該小切手ＣＫからＭＩＣＲ（Magnetic Ink Character Recognition）方式の文字を読み取り、また該小切手ＣＫの両面をそれぞれ撮像して画像データを生成した上で、前下方のエスクロ部１６に引き渡す。
【００２５】
エスクロ部１６は、バンドル部１１のほぼ真下に配置されており、その内部に回転するドラムや該ドラムの周側面に巻き付けるテープ、及び小切手ＣＫを搬送するための搬送部等を有している。このエスクロ部１６は、第３搬送路Ｗ３から受け取った小切手ＣＫをドラムの周側面近傍へ搬送し、テープと共にドラムの周側面に順次巻き付けることにより、該小切手ＣＫを一時的に保留していく。説明の都合上、ここまでの一連の処理を入金読取処理と呼ぶ。
【００２６】
制御部３は、バンドル部１１に挿入された全ての小切手ＣＫをスキャナ部１４により読み取り終えると、読み取った内容を表す画像や文字等を表示部（図示せず）に表示すると共に、利用者に入金取引を継続するか否かを問い合わせる。
【００２７】
ここで利用者から入金取引の中止が指示されると、制御部３は、返却処理を行う。すなわち制御部３は、エスクロ部１６に保留している全ての小切手ＣＫを第３搬送路Ｗ３、第２搬送路Ｗ２及び第１搬送路Ｗ１に沿って分離部１２へ搬送して集積し、束小切手ＣＫＢを形成して利用者に取り出させる。このとき制御部３は、バンドル部１１に組み込まれたセンサにより束小切手ＣＫＢが取り出されたことを検出した場合、該束小切手ＣＫＢが利用者に返却されたものと判断して返却処理を終了する。
【００２８】
一方、バンドル部１１において所定時間内に束小切手ＣＫＢが取り出されなかった場合、制御部３は、利用者が束小切手ＣＫＢを取り出さずに立ち去ったと判断し、この束小切手ＣＫＢを取り込む取忘取込処理により内部へ取り込む。このとき制御部３は、第１切替部１５により第２搬送路Ｗ２及び第４搬送路Ｗ４を接続する。
【００２９】
第４搬送路Ｗ４の下側には、後中搬送部１７が設けられている。この後中搬送部１７には、第４搬送路Ｗ４の真下に配置された第２切替部１８と、主に上下方向に沿った搬送経路でなる第５搬送路Ｗ５とが設けられている。このうち第２切替部は、第４搬送路Ｗ４の接続先を第５搬送路Ｗ５又は前方のリトラクト部１９に切り替えるようになっている。制御部３は、この取忘取込処理において第４搬送路Ｗ４をリトラクト部１９と接続させることにより、利用者が取り忘れた小切手ＣＫを第１搬送路Ｗ１、第２搬送路Ｗ２及び第４搬送路Ｗ４に沿って搬送し、該リトラクト部１９に収納させる。
【００３０】
一方、制御部３は、入金読取処理によってエスクロ部１６に全ての小切手ＣＫを保留した状態で、利用者から入金取引の継続が指示されると、保留している小切手ＣＫを収納する収納処理を開始する。具体的にエスクロ部１６は、ドラムを逆回転させることにより保留していた小切手ＣＫを１枚ずつ繰り出し、スキャナ部１４に引き渡していく。
【００３１】
スキャナ部１４は、エスクロ部１６から順次受け取った小切手ＣＫを第３搬送路Ｗ３に沿って後方へ搬送しながら、内蔵するプリンタやスタンプ押印部により該小切手ＣＫに対し取引結果等を表す情報を印字し、印字後の小切手を撮像して印字状態を認識した上で、該小切手ＣＫを第１切替部１５に引き渡す。
【００３２】
このとき第１切替部１５は、制御部３の制御により前側の第３搬送路Ｗ３及び下側の第４搬送路Ｗ４を接続しており、第３搬送路Ｗ３に沿って搬送した小切手ＣＫを下方の後中搬送部１７に引き渡す。後中搬送部１７の第２切替部１８は、制御部３の制御により第４搬送路Ｗ４の接続先を第５搬送路Ｗ５に切り替えており、この小切手ＣＫを第５搬送路Ｗ５に沿って下方及び前方へ搬送し、その前下側に設けられた第１スタッカ部２０Ａに引き渡す。
【００３３】
第１スタッカ部２０Ａは、第６搬送路Ｗ６に沿って小切手ＣＫを搬送する搬送機構や、多数の小切手ＣＫを集積した状態で収納するスタッカ、及び該スタッカ内へ小切手ＣＫを押し込むプッシャ等を有している。この第１スタッカ部２０Ａは、後中搬送部１７から小切手ＣＫを受け取ると、制御部３の制御に応じて、該小切手ＣＫをスタッカ内に押し込んで集積した状態で収納し、或いは該小切手ＣＫを前方の第２スタッカ部２０Ｂへ引き渡す。第２スタッカ部２０Ｂは、第１スタッカ部２０Ａと同様に構成されており、該第１スタッカ部２０Ａから小切手ＣＫを受け取ると、制御部３の制御に応じて、第７搬送路Ｗ７に沿って小切手ＣＫを搬送し、スタッカ内に押し込み、集積した状態で収納する。
【００３４】
かくして制御部３は、エスクロ部１６に保留していた全ての小切手ＣＫを第１スタッカ部２０Ａ又は第２スタッカ部２０Ｂのスタッカ内に収納させると、収納処理を終了する。これにより制御部３は、利用者との間における小切手ＣＫの入金取引を完了する。
【００３５】
ところで小切手処理装置１では、少数のアクチュエータから多数の搬送ローラに駆動力を伝達することにより、構成の簡素化が図られている。例えば駆動力源としての分離アクチュエータ２５は、分離部１２の各ローラに加えて、アライナ部１３の第１搬送ローラ対４１に駆動力を伝達している。また駆動力源としての搬送アクチュエータ２７は、スキャナ部１４内の各搬送ローラ対に加えて、アライナ部１３の第２搬送ローラ対４２及び第３搬送ローラ対４３並びに第１幅寄せローラ対４４及び第２幅寄せローラ対４５にも駆動力を伝達している。因みに分離アクチュエータ２５及び搬送アクチュエータ２７は、いわゆるパルスモータであり、制御部３から供給されるパルス信号に基づいて回転速度や回転量が制御されている。
【００３６】
［１−２．分離部及びアライナ部の構成］
次に、分離部１２及びアライナ部１３の詳細な構成について、図２の斜視図、図３の平面図及び図４（Ａ）の左側面図を参照しながら説明する。なお図２は、主にアライナ部１３を表しており、一部の部品を省略し、或いは簡略化している。また図３及び図４（Ａ）も、一部の部品を省略し、或いは簡略化している。
【００３７】
［１−２−１．分離部の構成］
分離部１２（図３及び図４（Ａ））は、下面が平坦に形成された平板状の上搬送ガイド３０Ｕと、該上搬送ガイド３０Ｕの下側において該上搬送ガイド３０Ｕにおける後寄りの一部分と対向する下搬送ガイド３０Ｄとの間に、前後方向に沿った第１搬送路Ｗ１を形成している。
【００３８】
上搬送ガイド３０Ｕの上側における前寄りの箇所には、ピッカローラ３１が設けられている。ピッカローラ３１は、中心軸を左右方向に向けた円柱状に形成されており、左右方向に沿った細長い円柱状でなる回転軸に貫通されている。このピッカローラ３１は、上述した分離アクチュエータ２５（図１）から駆動力が伝達されると、回転軸と一体に回転する。
【００３９】
ピッカローラ３１の下側であって、下搬送ガイド３０Ｄの前側となる箇所には、ピッカプレス３２が設けられている。このピッカプレス３２は、上面が平坦な直方体状に形成されており、図示しないアクチュエータからの駆動力により上下方向へ移動し得るようになっている。
【００４０】
ピッカローラ３１の後側には、フィードローラ３３が設けられている。フィードローラ３３は、ピッカローラ３１と同様、中心軸を左右方向に向けた円柱状に形成されており、左右方向に沿った細長い円柱状でなる回転軸に貫通されている。またフィードローラ３３は、やはりピッカローラ３１と同様に、上述した分離アクチュエータ２５（図１）から駆動力が伝達されると、回転軸と一体に回転する。
【００４１】
因みに上搬送ガイド３０Ｕには、ピッカローラ３１及びフィードローラ３３とそれぞれ対応する箇所に、上下方向に貫通する孔部（図示せず）が形成されている。このため分離部１２では、ピッカローラ３１及びフィードローラ３３の下端近傍が、上搬送ガイド３０Ｕの下面よりも下方にそれぞれ飛び出ている。
【００４２】
フィードローラ３３の下側であって、下搬送ガイド３０Ｄの下側には、リバースローラ３４及び部分舌片３５が設けられている。リバースローラ３４は、フィードローラ３３と同様、中心軸を左右方向に向けた円柱状に形成されており、左右方向に沿った細長い円柱状でなる回転軸に貫通されている。またリバースローラ３４は、その周側面とフィードローラ３３の周側面との間に、１枚の小切手ＣＫの厚さに相当する隙間を形成している。説明の都合上、以下では、フィードローラ３３及びリバースローラ３４により形成される僅かな隙間を分離ゲート１２Ｇとも呼ぶ。
【００４３】
因みにリバースローラ３４は、上述した分離アクチュエータ２５（図１）から、図示しないワンウェイクラッチを介して駆動力が伝達されており、図４（Ａ）における反時計回りにのみ回転するようになっている。また下搬送ガイド３０Ｄには、リバースローラ３４と対応する箇所に、上下方向に貫通する孔部（図示せず）が形成されている。このため分離部１２では、リバースローラ３４の上端近傍が、下搬送ガイド３０Ｄの上面よりも上方に飛び出ている。
【００４４】
部分舌片３５は、中心部分に設けられた円環状の部分を中心として、比較的柔らかい材料でなり外方へ向けて放射状に形成された舌片が、約９０度の角度範囲に設けられた構成となっている。この部分舌片３５は、図示しない部分舌片モータから供給される駆動力により、リバースローラ３４の回転軸を中心に回転し得るようになっている。因みに下搬送ガイド３０Ｄには、部分舌片３５の舌片部分を通過させるための孔部（図示せず）が形成されている。このため分離部１２では、部分舌片３５を回転させた場合、舌片の一部を第１搬送路Ｗ１内に入り込ませることができる。
【００４５】
かかる構成により、分離部１２は、入金読取処理において、制御部３の制御に基づき、束小切手ＣＫＢ（図１）を１枚ずつの小切手ＣＫに分離する分離処理を行う。具体的に制御部３は、まず分離アクチュエータ２５を所定の正転方向に回転させることにより、ピッカローラ３１、フィードローラ３３及びリバースローラ３４を図４（Ａ）における時計回りに回転させ、また部分舌片モータにより部分舌片３５を回転させる。また制御部３は、ピッカプレス３２を下方へ移動させる。
【００４６】
この状態で分離部１２は、バンドル部１１により後方へ搬送されてきた束小切手ＣＫＢの後端近傍がピッカプレス３２の上面に載置されると、該ピッカプレス３２を上方へ持ち上げて該束小切手ＣＫＢの最上面をピッカローラ３１に押し付ける。これによりピッカローラ３１は、束小切手ＣＫＢの最も上側に位置する小切手ＣＫとの間に摩擦力を作用させ、該小切手ＣＫに後方へ向かう力を作用させる。このとき束小切手ＣＫＢにおける上から２枚目以下の小切手ＣＫは、隣接する小切手ＣＫとの間に作用する摩擦力により、最も上側の小切手ＣＫに引き摺られ、後方へ向かう。
【００４７】
やがて束小切手ＣＫＢの最も上側に位置する小切手ＣＫにおける先端が分離ゲート１２Ｇに到達すると、分離部１２は、フィードローラ３３により最も上側の小切手ＣＫに後方へ向かう力を作用させる一方、上から２枚目以下の小切手ＣＫをリバースローラ３４により堰き止めて、最も上側の小切手ＣＫのみに分離ゲート１２Ｇを通過させる。かくして分離部１２は、束小切手ＣＫＢを１枚ずつに分離することにより、小切手ＣＫをアライナ部１３に引き渡すことができる。
【００４８】
フィードローラ３３及びリバースローラ３４の後方には、分離残留検知センサ３７が設けられている。分離残留検知センサ３７は、所定の検知光を発光する発光素子とこの検知光を受光する受光素子とにより構成されており、第１搬送路Ｗ１を挟んで互いに対向する箇所に、この発光素子及び受光素子をそれぞれ配置している。すなわち検知光の光路は、分離ゲート１２Ｇのやや後方において、第１搬送路Ｗ１を上下方向に横切っている。この受光素子は、検知光の受光強度を表す検知信号を生成して制御部３へ送信する。
【００４９】
これに応じて制御部３は、分離残留検知センサ３７から得られる検知信号の変化を基に、小切手ＣＫが検知光を遮っているか否か、すなわち分離部１２から小切手ＣＫが繰り出されているか否かを認識することができる。
【００５０】
因みに分離部１２は、制御部３の制御に基づいて分離アクチュエータ２５を正転方向と反対の逆転方向に回転させた場合、フィードローラ３３等を分離処理とは反対の方向に回転させて、すなわち逆回転若しくは反転させて、小切手ＣＫを前方へ搬送することもできる。
【００５１】
［１−２−２．アライナ部の構成］
アライナ部１３（図２、図３及び図４（Ａ））は、下面が平坦に形成された平板状の上搬送ガイド４０Ｕと、該上搬送ガイド４０Ｕの下側において該上搬送ガイド４０Ｕと対向する下搬送ガイド４０Ｄとの間に、分離部１２から続く第１搬送路Ｗ１を前後方向に沿って形成している。因みに下搬送ガイド４０Ｄの左端及び右端には、左搬送ガイド４０Ｌ及び右搬送ガイド４０Ｒが設けられており、第１搬送路Ｗ１における左側及び右側の範囲をそれぞれ規定している。
【００５２】
因みに下搬送ガイド４０Ｄの前端には、分離部１２の下搬送ガイド３０Ｄと接続する接続部が形成されている。この接続部は、左右方向に細く前後方向に長い短冊形状が所定間隔ごとに複数配置された、いわゆる櫛歯形状が双方に形成されており、互いの櫛歯を噛み合わされた状態となっている。またこの櫛歯は、前方の先端に向かって第１搬送路Ｗ１から徐々に離れるように傾斜されている。これにより下搬送ガイド４０Ｄは、分離部１２の下搬送ガイド３０Ｄとの境界部分等で小切手ＣＫを引っ掛けさせること無く、第１搬送路Ｗ１に沿って円滑に受け渡すように案内できる。下搬送ガイド４０Ｄの後端や、上搬送ガイド４０Ｕの前端及び後端も、それぞれ同様に構成されている。
【００５３】
このアライナ部１３には、前方から後方へ向けて、第１搬送ローラ対４１、第２搬送ローラ対４２及び第３搬送ローラ対４３が所定の間隔を空けながら順次配置されている。また第１搬送ローラ対４１及び第２搬送ローラ対４２の間、並びに第２搬送ローラ対４２及び第３搬送ローラ対４３の間には、第１幅寄せローラ対４４及び第２幅寄せローラ対４５がそれぞれ設けられている。
【００５４】
第１搬送ローラ対４１は、図４（Ａ）に示したように、第１搬送路Ｗ１の上側に設けられた第１搬送駆動部４１Ａと、該第１搬送路Ｗ１の下側に設けられた第１搬送プレス部４１Ｂとにより構成されている。このうち第１搬送駆動部４１Ａは、第１駆動軸５１及び第１駆動ローラ５２により構成されている。第１駆動軸５１は、中心軸を左右方向に沿わせた細長い円柱状に形成されている。また第１駆動軸５１は、分離アクチュエータ２５（図１）から駆動力が伝達されており、分離部１２のフィードローラ３３等と共に回転する。
【００５５】
第１駆動ローラ５２は、中心軸を左右方向に沿わせ、第１駆動軸５１よりも半径が十分に大きい円筒状に形成されており、その中心部分が該第１駆動軸５１に挿通された状態で取り付けられている。このため第１駆動ローラ５２は、第１駆動軸５１と一体に回転することができる。因みに第１駆動ローラ５２の下端近傍は、上搬送ガイド４０Ｕ及び分離部１２の上搬送ガイド３０Ｕの間に形成された隙間から、該上搬送ガイド４０Ｕの下面よりも下側に露出している。
【００５６】
一方、第１搬送プレス部４１Ｂは、第１プレス軸５６及び第１プレスローラ５７により構成されている。第１プレス軸５６は、第１駆動軸５１と同様の円柱状に形成されているものの、分離アクチュエータ２５（図１）から駆動力が伝達されておらず、図示しない軸受により自在に回転し得るように支持されている。またこの第１プレス軸５６は、図示しないスプリングにより上方へ、すなわち第１搬送駆動部４１Ａ側へ付勢されている。
【００５７】
第１プレスローラ５７は、第１駆動ローラ５２と同様、中心軸を左右方向に沿わせ、第１プレス軸５６よりも半径が十分に大きい円筒状に形成されている。この第１プレスローラ５７は、その中心部分が第１プレス軸５６に挿通された状態で取り付けられ、且つ第１駆動ローラ５２のほぼ真下に位置している。このため第１プレスローラ５７は、その上端近傍が第１駆動ローラ５２の下端近傍に押し付けられる。
【００５８】
かかる構成により第１搬送ローラ対４１は、分離アクチュエータ２５（図１）から供給される駆動力により第１駆動ローラ５２を回転させると共に、第１プレスローラ５７を従動させることができる。例えば第１搬送ローラ対４１は、第１駆動ローラ５２を図４（Ａ）における時計回りに回転させているときに、分離部１２から小切手ＣＫが引き渡された場合、この小切手ＣＫを第１駆動ローラ５２及び第１プレスローラ５７の間に挟持し、該小切手ＣＫに対して後方へ向かう力を伝達して、搬送方向である後方へ搬送することができる。
【００５９】
また第１搬送ローラ対４１は、小切手ＣＫを第１駆動ローラ５２及び第１プレスローラ５７の間に挟持している状態で、該第１駆動ローラ５２を図４（Ａ）における反時計回りに回転させた場合、該小切手ＣＫに対して前方へ向かう力を伝達して、逆搬送方向である前方へ、すなわち分離部１２へ搬送することができる。
【００６０】
搬送駆動部としての第２搬送ローラ対４２は、図５（Ａ）に模式的な拡大図を示すように、第１搬送路Ｗ１の上側に設けられた第２搬送プレス部４２Ａと、該第１搬送路Ｗ１の下側に設けられた第２搬送駆動部４２Ｂとにより構成されている。また第２搬送ローラ対４２は、図３に示したように、第１搬送路Ｗ１における左寄り及び右寄りにそれぞれ１組ずつ設けられている。
【００６１】
このうち第２搬送駆動部４２Ｂは、第１搬送駆動部４１Ａ（図４（Ａ））と同様に構成されており、第１駆動軸５１及び第１駆動ローラ５２とそれぞれ対応する第２駆動軸６６及び第２駆動ローラ６７により構成されている。この第２駆動ローラ６７は、搬送アクチュエータ２７（図１）から駆動力が伝達されており、スキャナ部１４の各搬送ローラと共に回転する。因みに第２駆動ローラ６７の上端近傍は、下搬送ガイド４０Ｄに適宜形成された孔部から、該下搬送ガイド４０Ｄの上面よりも上側に露出している。
【００６２】
一方、第２搬送プレス部４２Ａは、第２プレス軸６１、第２プレスローラ６２及び状態遷移部６３により構成されている。第２プレス軸６１は、第１プレス軸５６（図４（Ａ））と同様、円柱状に形成され、図示しない軸受により自在に回転し得るように支持されており、駆動力が伝達されていない。
【００６３】
第２プレスローラ６２は、第１プレスローラ５７（図４（Ａ））と同様、中心軸を左右方向に沿わせ、第２プレス軸６１よりも半径が十分に大きい円筒状に形成されている。この第２プレスローラ６２は、その中心部分が第２プレス軸６１に挿通された状態で取り付けられている。因みに第２プレスローラ６２の下端近傍は、上搬送ガイド４０Ｕに適宜形成された孔部から、該上搬送ガイド４０Ｕの下面よりも下側に露出している。
【００６４】
状態遷移部６３は、スプリング６４及び持上部６５により構成されている。スプリング６４は、上下方向に沿ったコイルばねでなり、その上端がアライナ部１３の筐体（図示せず）に固定されると共に、自然状態から圧縮された上で、その下端を第２プレス軸６１に当接させている。このためスプリング６４は、第２プレス軸６１及び第２プレスローラ６２に対して下方向へ向かう力を作用させることができる。
【００６５】
持上部６５は、上搬送ガイド４０Ｕの上側に位置しており、全体として比較的小さな直方体状に形成されている。この持上部６５は、左方向から見て台形状に形成されており、その後側面が、下端が上端よりも後側に位置する傾斜面となっている。さらに持上部６５は、制御部３（図１）の制御に基づき、図示しない状態遷移アクチュエータから後方向又は前方向へ向かう力が加えられることにより、上搬送ガイド４０Ｕの上面に沿って、前後方向へ移動することができる。
【００６６】
すなわち持上部６５は、前方へ移動した場合、第２プレス軸６１よりも前側に位置する。このとき第２搬送プレス部４２Ａは、スプリング６４の作用により、第２プレス軸６１及び第２プレスローラ６２を下方へ付勢し、該第２プレスローラ６２の下端近傍を第２駆動ローラ６７の上端近傍に当接させる。
【００６７】
このとき第２搬送ローラ対４２は、第１搬送ローラ対４１と同様に、第２駆動ローラ６７及び第２プレスローラ６２により小切手ＣＫを挟持し得る状態となる。すなわち第２搬送ローラ対４２は、搬送アクチュエータ２７（図１）から供給される駆動力に応じて第２駆動ローラ６７を回転させると共に第２プレスローラ６２を従動させ、小切手ＣＫを挟持している場合には該小切手ＣＫに駆動力を伝達して後方向又は前方向へ搬送することができる。以下、このような第２搬送ローラ対４２の状態を伝達状態と呼ぶ。
【００６８】
一方、持上部６５は、図５（Ｂ）に示すように、後方へ移動した場合、傾斜面を第２プレス軸６１の下側に潜り込ませることにより、スプリング６４を圧縮させながら、該第２プレス軸６１を第２プレスローラ６２と共に上方へ持ち上げる。この結果、該第２プレスローラ６２は、その下端が第２駆動ローラ６７の上端近傍から引き離され、該第２駆動ローラ６７との間に小切手ＣＫを挟持できなくなる。
【００６９】
すなわち第２搬送ローラ対４２は、搬送アクチュエータ２７（図１）から駆動力が供給されて第２駆動ローラ６７を回転させたとしても、その駆動力を小切手ＣＫに伝達することができず、該小切手ＣＫを搬送することができない。以下、このような第２搬送ローラ対４２の状態を非伝達状態と呼ぶ。因みに第２搬送ローラ対４２は、この非伝達状態（図５（Ｂ））において持上部６５を前方へ移動させることにより、再び伝達状態（図５（Ａ））に戻ることができる。
【００７０】
このように第２搬送ローラ対４２は、状態遷移部６３の持上部６５を前方向又は後方向へ移動させることにより、小切手ＣＫに駆動力を伝達して前後方向へ搬送し得る伝達状態と、該小切手ＣＫに駆動力を伝達できない非伝達状態とに遷移することができる。
【００７１】
搬送駆動部としての第３搬送ローラ対４３（図５）は、第２搬送ローラ対４２と同様、第２搬送プレス部４２Ａ及び第２搬送駆動部４２Ｂとそれぞれ対応する第３搬送プレス部４３Ａ及び第３搬送駆動部４３Ｂ（図４（Ａ））の組合せにより構成されている。このため第３搬送ローラ対４３は、第２搬送ローラ対４２と同様、小切手ＣＫに駆動力を伝達して前後方向へ搬送し得る伝達状態と、該小切手ＣＫに駆動力を伝達できない非伝達状態とに遷移することができる。
【００７２】
他駆動部としての第１幅寄せローラ対４４（図２、図３及び図４（Ａ））は、第１幅寄せプレス部４４Ａ及び第１幅寄せ駆動部４４Ｂの組合せにより構成されている。第１幅寄せプレス部４４Ａ及び第１幅寄せ駆動部４４Ｂは、それぞれ第２搬送プレス部４２Ａ及び第２搬送駆動部４２Ｂと概ね同様に構成されているものの、第２プレス軸６１（図５）等における中心軸が左右方向に沿っておらず、該中心軸における左端が右端よりも後側に位置するように傾斜している（図３等）。
【００７３】
このため第１幅寄せローラ対４４は、伝達状態（図５（Ａ））であり、且つ第２駆動ローラ６７を反時計回りに回転させた場合、挟持している小切手ＣＫに対し、第２プレス軸６１等の中心軸と直交する方向、すなわち後斜め右方向へ向かう駆動力を伝達することができる（図２及び図３）。このとき第１幅寄せローラ対４４は、挟持している小切手ＣＫを右方向へ寄せる、いわゆる幅寄せを行いながら、搬送方向である後方向へ進行させることができる。因みにアライナ部１３では、この幅寄せを行うことにより、小切手ＣＫの右辺を右搬送ガイド４０Ｒに当接させ、若しくは極めて近接させるようになっている。説明の都合上、以下では右搬送ガイド４０Ｒの左側面を基準面とも呼び、また後斜め右方向を他方向とも呼ぶ。
【００７４】
一方、第１幅寄せローラ対４４は、非伝達状態（図５（Ｂ））であれば、第２搬送ローラ対４２の場合と同様、搬送アクチュエータ２７（図１）から駆動力が供給されて第２駆動ローラ６７を回転させたとしても、その駆動力を小切手ＣＫに伝達することができず、該小切手ＣＫを幅寄せすることができない。
【００７５】
他駆動部としての第２幅寄せローラ対４５（図２、図３及び図４（Ａ））は、第１幅寄せプレス部４４Ａ及び第１幅寄せ駆動部４４Ｂとそれぞれ同様に構成された第２幅寄せプレス部４５Ａ及び第２幅寄せ駆動部４５Ｂの組合せにより、第１幅寄せローラ対４４とほぼ同様に構成されている。
【００７６】
さらにアライナ部１３には、第１搬送ローラ対４１及び第１幅寄せローラ対４４の間に、第１センサ４６及び重送検知センサ４７が設けられている。また第１幅寄せローラ対４４及び第２搬送ローラ対４２の間には、監視センサ４８が設けられている。これに加えて、右搬送ガイド４０Ｒの近傍には、前後方向に離散した３箇所に、幅寄せ完了検知センサ４９がそれぞれ設けられている。
【００７７】
第１センサ４６は、分離部１２の分離残留検知センサ３７と同様に構成されており、所定の検知光を発光する発光素子及びこの検知光を受光する受光素子を有し、該受光素子により検知光の受光強度に応じた検知信号を生成して制御部３へ供給する。この第１センサ４６における検知光の光軸は、第１搬送ローラ対４１よりも後側（すなわち下流側）において、第１搬送路Ｗ１を上下方向に横切っている。このため、第１センサ４６において検知光が遮光された場合、分離部１２から繰り出された小切手ＣＫを検知したことを意味する。
【００７８】
重送検知センサ４７は、上搬送ガイド４０Ｕの上側に配置された超音波送信部４７Ａと、下搬送ガイド４０Ｄの下側に配置され超音波を受信する超音波受信部４７Ｂとにより構成されている。超音波送信部４７Ａは、制御部３の制御に基づき、所定の周波数でなる超音波を斜め下方へ向けて送信する。超音波受信部４７Ｂは、超音波送信部４７Ａから発射され斜め下方へ進行してくる超音波を受信し、受信した超音波の強度に応じた信号レベルの検知信号を生成し、これを制御部３へ供給する。
【００７９】
一般に超音波は、小切手ＣＫのような紙葉状の媒体により減衰するが、その厚さや枚数に応じて減衰量が相違する。すなわちアライナ部１３では、搬送されている小切手ＣＫの厚さや重なっている枚数に応じて、超音波受信部４７Ｂに到達する超音波の減衰度合が変化することになる。そこで制御部３は、重送検知センサ４７から検知信号を取得すると、その信号レベルの絶対値や経時的な変化等を基に、搬送されている小切手ＣＫが１枚のみであるか、２枚以上であるかを判断することができる。
【００８０】
因みにアライナ部１３では、上搬送ガイド４０Ｕの下面及び下搬送ガイド４０Ｄの上面が何れもほぼ水平となっているのに対し、重送検知センサ４７における超音波の仮想的な中心軸が鉛直方向に対して傾斜されている。すなわち重送検知センサ４７では、超音波送信部４７Ａから超音波を送信する方向を表す仮想的な軸であり、超音波受信部４７Ｂにおいて超音波を受信する方向を表す仮想的な軸が、鉛直方向に対して傾斜している。これに伴い超音波受信部４７Ｂでは、超音波の仮想的な中心軸と直交する上面（すなわち受信面）が、水平方向に対して傾斜している。この結果、超音波受信部４７Ｂでは、上面に埃や異物等が堆積することによる受信感度の低下を抑えることができる。
【００８１】
また重送検知センサ４７の超音波受信部４７Ｂは、超音波の受信機能に加えて、発信機能も有している。この超音波受信部４７Ｂは、制御部３の制御に基づき、例えば電源投入直後のように小切手ＣＫの重送を検知しないときに、超音波を発信する（いわゆるチャージする）ことにより上面に堆積した埃や異物に振動を与えて、上面から落下させるようになっている。
【００８２】
監視センサ４８は、第１幅寄せローラ対４４の下流側に、第１センサ４６等と同様の発光素子及び受光素子を配置しており、該受光素子により検知光の受光強度に応じた検知信号を生成して制御部３へ供給する。このため、監視センサ４８において検知光が遮光された場合、第１幅寄せローラ対４４により挟持可能な位置に小切手ＣＫが到達したことを意味する。
【００８３】
因みに監視センサ４８は、下搬送ガイド４０Ｄの下側における左右方向に離れた箇所に発光素子及び受光素子が上向きに配置されている。また監視センサ４８は、上搬送ガイド４０Ｕの上側における発光素子及び受光素子の上方に、検知光を複数回反射するプリズムを配置している。すなわち監視センサ４８では、第１幅寄せローラ対４４よりも後側（すなわち下流側）における左右方向に離れた２箇所において、検知光が第１搬送路Ｗ１を上下方向に横切っており、小切手ＣＫの到達を検知できるようになっている。
【００８４】
他方向搬送完了検知部としての各幅寄せ完了検知センサ４９は、第１センサ４６等と同様に構成されているものの、検知光の光軸が右搬送ガイド４０Ｒの僅かに左側を上下方向に横切るように、その位置が調整されている。またアライナ部１３には、前後方向に離れた３箇所に幅寄せ完了検知センサ４９が配置されている。
【００８５】
このため、各幅寄せ完了検知センサ４９から検知信号を取得する制御部３は、例えば２個以上の幅寄せ完了検知センサ４９において同時に小切手ＣＫを検知した場合（すなわち検知光が遮光された場合）、該小切手ＣＫの右辺が右搬送ガイド４０Ｒにほぼ当接しており、該小切手ＣＫの幅寄せを完了したと判断することができる。
【００８６】
因みに上搬送ガイド４０Ｕ及び下搬送ガイド４０Ｄには、各センサの検知光や超音波を通過させる箇所に、所定形状の孔部が設けられており、この検知光や超音波を遮ることなく通過させるようになっている。
【００８７】
［１−３．入金読取処理におけるアライナ部の基本動作］
次に、入金読取処理におけるアライナ部１３の基本的な動作について説明する。制御部３は、入金読取処理を行う場合、分離アクチュエータ２５から分離部１２のフィードローラ３３等と共に第１搬送ローラ対４１の第１駆動ローラ５２に駆動力を伝達して回転させる。また制御部３は、搬送アクチュエータ２７から第２搬送ローラ対４２、第３搬送ローラ対４３、第１幅寄せローラ対４４及び第２幅寄せローラ対４５の第２駆動ローラ６７（図５）に駆動力を伝達して回転させる。
【００８８】
分離部１２は、上述した分離処理を行うことにより、小切手ＣＫを１枚ずつに分離して後方へ繰り出す。アライナ部１３は、この分離部１２から繰り出された小切手ＣＫを第１搬送ローラ対４１により後方へ搬送する。ここで制御部３は、第１センサ４６により小切手ＣＫを検知すると、分離部１２から新たな小切手ＣＫが繰り出されたものと見なし、該小切手ＣＫを後方へ搬送しながら基準面へ幅寄せする幅寄せ搬送処理を開始する。
【００８９】
具体的に制御部３は、まず図４（Ａ）に示したように、アライナ部１３において第２搬送ローラ対４２及び第３搬送ローラ対４３を伝達状態に遷移させ、第１幅寄せローラ対４４及び第２幅寄せローラ対４５を非伝達状態に遷移させる。また制御部３は、重送検知センサ４７の動作を開始させ、該重送検知センサ４７から得られる検知信号を基に、小切手ＣＫが正常に１枚ずつに分離されているか否かを判定する。
【００９０】
ここで制御部３は、小切手ＣＫが２枚以上重ねて繰り出されていた場合、すなわち重送されていた場合、後述する重送解消処理を行う。また制御部３は、小切手ＣＫが１枚ずつに正常に分離されていた場合、該小切手ＣＫの後方への搬送を継続する。
【００９１】
やがて制御部３は、監視センサ４８から得られる検知信号を基に、小切手ＣＫの一部（例えば先端）が第１幅寄せローラ対４４よりも下流側に到達したことを検知すると、該小切手ＣＫの搬送方向を後方向から後ろ斜め右方向に切り替え、幅寄せ動作を開始する。
【００９２】
具体的に制御部３は、図４（Ａ）と対応する図４（Ｂ）に示すように、第２搬送ローラ対４２及び第３搬送ローラ対４３を伝達状態から非伝達状態に遷移させる一方、第１幅寄せローラ対４４及び第２幅寄せローラ対４５を非伝達状態から伝達状態に遷移させる。これによりアライナ部１３は、第１幅寄せローラ対４４及び第２幅寄せローラ対４５により、小切手ＣＫを後斜め右方向へ進行させること、すなわち幅寄せすることができる。
【００９３】
これと共に制御部３は、幅寄せ完了検知センサ４９から得られる検知信号の監視を開始し、２個以上の幅寄せ完了検知センサ４９において小切手ＣＫを検知した段階で、小切手ＣＫの幅寄せを完了したものと判断し、該小切手ＣＫの搬送方向を後斜め右方向から後方向に切り替えて、すなわち元に戻して、幅寄せ動作を完了する。
【００９４】
具体的に制御部３は、図４（Ａ）に示したように、第２搬送ローラ対４２及び第３搬送ローラ対４３を非伝達状態から伝達状態に遷移させる一方、第１幅寄せローラ対４４及び第２幅寄せローラ対４５を伝達状態から非伝達状態に遷移させる。これによりアライナ部１３は、幅寄せが完了した小切手ＣＫを、第２搬送ローラ対４２及び第３搬送ローラ対４３により後方向へ進行させ、下流側のスキャナ部１４に引き渡すことができる。
【００９５】
［１−４．重送解消処理］
次に、制御部３の制御に基づいた分離部１２及びアライナ部１３による重送解消処理について、図６のフローチャートを参照しながら説明する。制御部３は、入金読取処理の実行中に、重送検知センサ４７から得られる検知信号を基に重送を検知した場合、すなわち分離部１２から小切手ＣＫが２枚以上重ねられた状態で繰り出されたと判断した場合、重送解消処理手順ＲＴ１（図６）を開始し、最初のステップＳＰ１へ移る。
【００９６】
このとき小切手処理装置１では、図１と対応する図７に示すように、分離部１２により先行して正常に分離された小切手ＣＫ１、ＣＫ２、ＣＫ３、ＣＫ４及びＣＫ５が、第１搬送路Ｗ１から第２搬送路Ｗ２及び第３搬送路Ｗ３に沿って搬送され、スキャナ部１４により画像データが生成されてから、エスクロ部１６に収納されつつあるものとする。またこのとき小切手処理装置１では、分離部１２により小切手ＣＫ６及びＣＫ７を正しく分離できず、両者が重なった状態で該分離部１２から繰り出され、重送検知センサ４７により重送が検知されたものとする。ただし小切手ＣＫ６及びＣＫ７は、何れも第１搬送ローラ対４１により挟持されているものとする。
【００９７】
ステップＳＰ１において制御部３は、図８に示すように、第２搬送ローラ対４２及び第３搬送ローラ対４３を伝達状態から非伝達状態に遷移させ、次のステップＳＰ２に移る。これによりアライナ部１３では、重なっている小切手ＣＫ６及び７が、第２搬送ローラ対４２及び第３搬送ローラ対４３、並びに第１幅寄せローラ対４４及び第２幅寄せローラ対４５の何れにおいても挟持されていない状態となる。
【００９８】
その一方で小切手処理装置１では、搬送アクチュエータ２７が引き続き正転方向に回転しているため、スキャナ部１４において各搬送ローラ対が回転を継続し、小切手ＣＫを入金読取処理における搬送方向に沿って搬送する。すなわち小切手ＣＫ１〜ＣＫ５は、何れも第１搬送路Ｗ１、第２搬送路Ｗ２及び第３搬送路Ｗ３を結ぶ搬送経路に沿って搬送され、スキャナ部１４により画像データが生成された上で、エスクロ部１６に収納されていく。
【００９９】
ステップＳＰ２において制御部３は、分離アクチュエータ２５を逆転方向に回転させるよう制御して、すなわち反転させて、次のステップＳＰ３に移る。これにより、第１搬送ローラ対４１の第１駆動ローラ５２（図４）及びフィードローラ３３は、何れも図４における反時計回りに回転し、挟持している小切手ＣＫ６及びＣＫ７を入金読取処理における搬送方向である後方向と反対である逆搬送方向へ、すなわち前方の分離部１２及びバンドル部１１の内部へ進行させていく。
【０１００】
その一方で小切手処理装置１では、搬送アクチュエータ２７が引き続き正転方向に回転しているため、小切手ＣＫ１〜ＣＫ５を、入金読取処理における搬送方向に沿って搬送し続ける。換言すれば、小切手処理装置１では、正常に分離された小切手ＣＫ１〜ＣＫ５と、重なった小切手ＣＫ６及びＣＫ７とが、搬送経路上を互いに反対方向へ進行することになる。
【０１０１】
ステップＳＰ３において制御部３は、前方向へ進行させている小切手ＣＫ６及びＣＫ７の先端が分離ゲート１２Ｇよりも前側まで搬送されたか否かを判定する。具体的に制御部３は、分離残留検知センサ３７から得られる検知信号を監視し、該分離残留検知センサ３７において小切手ＣＫを検知しなくなった時点から、所定のパルス数だけ分離アクチュエータ２５を逆転させたか否かを判定する。
【０１０２】
ここで否定結果が得られると、このことは小切手ＣＫ６及びＣＫ７のうち少なくとも一方の先端が未だに分離ゲート１２Ｇよりも後側に位置しており、この状態で分離処理を再度行ったとしても、フィードローラ３３等により小切手ＣＫ６及びＣＫ７を分離することが難しいことを表している。このとき制御部３は、このステップＳＰ３を繰り返すことにより、小切手ＣＫ６及びＣＫ７の先端が分離ゲート１２Ｇよりも前側に到達するのを待ち受ける。
【０１０３】
一方、ステップＳＰ３において肯定結果が得られると、このことは図９に示すように、重なった状態で繰り出されていた小切手ＣＫ６及びＣＫ７を分離ゲート１２Ｇの前側に引き戻したことを表している。このとき制御部３は、次のステップＳＰ４へ移り、第２搬送ローラ対４２及び第３搬送ローラ対４３を非伝達状態から伝達状態に遷移させ、次のステップＳＰ５に移る。これによりアライナ部１３では、仮に分離部１２から小切手ＣＫが繰り出されてきた場合、この小切手ＣＫを第２搬送ローラ対４２等により挟持して後方へ搬送することができる。
【０１０４】
ステップＳＰ５において制御部３は、分離アクチュエータ２５を正転方向に回転させるよう制御して、再度反転させる。これにより第１搬送ローラ対４１の第１駆動ローラ５２（図４）及びフィードローラ３３は、何れも図４における時計回りに回転し、入金読取処理における分離処理等を再開することになる。この結果、小切手処理装置１では、図１０に示すように、分離部１２により小切手ＣＫ６を小切手ＣＫ７から分離して、すなわち重送を解消した状態で、アライナ部１３に引き渡すことが期待できる。その後、制御部３は、次のステップＳＰ６へ移り、重送解消処理手順ＲＴ１を終了する。
【０１０５】
［１−５．効果等］
以上の構成において、第１の実施の形態による小切手処理装置１では、入金読取処理において重送が発生した場合（図７）、第２搬送ローラ対４２及び第３搬送ローラ対４３を伝達状態から非伝達状態に遷移させてから（図８）、フィードローラ３３等を逆転させて小切手ＣＫを分離ゲート１２Ｇよりも前方へ戻す（図９）。その後、小切手処理装置１は、第２搬送ローラ対４２及び第３搬送ローラ対４３を再び伝達状態に遷移させてから（図１０）、フィードローラ３３等を入金読取処理の方向に回転させて分離処理を再開する。
【０１０６】
このため小切手処理装置１では、重送された小切手ＣＫを分離ゲート１２Ｇよりも前方に戻す一方で、正常に１枚ずつに分離されて第２搬送路Ｗ２よりも下流側へ搬送されている小切手ＣＫを、そのまま継続して搬送することができる（図７〜図１０）。換言すれば、小切手処理装置１では、１枚ずつに分離された小切手ＣＫについて入金読取処理をそのまま継続する一方で、重送された小切手ＣＫのみを分離ゲート１２Ｇよりも前方に戻し、分離部１２による分離処理を再度行うことができる。
【０１０７】
これにより小切手処理装置１では、重送が発生したときに、正常に分離された他の小切手ＣＫ（例えば小切手ＣＫ１〜ＣＫ５）についても入金読取処理を中止して逆送する場合と比較して、小切手ＣＫの逆送に要する時間を格段に短縮できるので、入金取引処理を極めて短い時間で完了できる。またこのとき小切手処理装置１では、同一の小切手ＣＫについて画像データの生成処理を繰り返すといった無駄な処理を行うことも回避できる。
【０１０８】
これを他の観点から見ると、小切手処理装置１では、アライナ部１３において、小切手ＣＫを第２搬送ローラ対４２等により後方へ搬送してから、第１幅寄せローラ対４４等に切り替えて幅寄せを行い、再び第２搬送ローラ対４２等に切り替えて後方へ搬送するようになっている。すなわちアライナ部１３では、小切手ＣＫの幅寄せを行う目的で、第２搬送ローラ対４２等が状態遷移部６３（図５）により伝達状態又は非伝達状態に切り替え得るようになっている。
【０１０９】
このため小切手処理装置１では、第２搬送ローラ対４２等に特別な構成を設ける必要がなく、既存の状態遷移部６３を利用して伝達状態から非伝達状態に遷移することにより、正常に分離された小切手ＣＫを搬送経路に沿って搬送方向に搬送しながら、重なっている小切手ＣＫのみを分離部１２へ逆送することができる。
【０１１０】
また小切手処理装置１では、アライナ部１３の第１搬送ローラ対４１を、分離部１２のフィードローラ３３等と同様に、分離アクチュエータ２５から駆動力を供給するようにした（図１）。このため小切手処理装置１では、重なっている小切手ＣＫのうち少なくとも一方の末尾が分離ゲート１２Ｇよりも後側に繰り出されたとしても、第１搬送ローラ対４１により挟持されていれば、分離アクチュエータ２５を逆転させた場合に、この小切手ＣＫを前方へ搬送して分離部１２内へ引き込むことができる。
【０１１１】
さらに小切手処理装置１では、分離残留検知センサ３７から得られる検知信号を監視し、小切手ＣＫを検知しなくなった時点から所定のパルス数だけ分離アクチュエータ２５を逆転させた段階で、重なっていた小切手ＣＫを分離ゲート１２Ｇの前側に引き戻したと見なすようにした（ステップＳＰ３）。これにより小切手処理装置１では、分離部１２において分離ゲート１２Ｇの前側に専用のセンサを追加する必要が無く、小切手ＣＫが該分離ゲート１２Ｇよりも前方に引き戻されたことを適切に認識でき、入金取引処理を再開することができる。
【０１１２】
以上の構成によれば、第１の実施の形態による小切手処理装置１は、入金読取処理において重送が発生した場合、第２搬送ローラ対４２等を非伝達状態に遷移させ、フィードローラ３３等を逆転させて小切手ＣＫを分離ゲート１２Ｇよりも前方へ戻す。その後、小切手処理装置１は、第２搬送ローラ対４２等を再び伝達状態に遷移させ、フィードローラ３３等を正転させて入金読取処理を再開する。これにより小切手処理装置１では、正常に１枚ずつに分離された小切手ＣＫについて入金読取処理をそのまま継続する一方、重送された小切手ＣＫのみを分離ゲート１２Ｇよりも前方に戻して分離部１２による分離処理を再度行うことができるので、入金取引処理を極めて短い時間で完了できる。
【０１１３】
［２．第２の実施の形態］
図１と対応する図１１に示すように、第２の実施の形態による小切手処理装置１０１は、制御部３及び搬送アクチュエータ２７に代えて、制御部１０３、第１搬送アクチュエータ１２７及び第２搬送アクチュエータ１２８を有する点において相違するものの、他の点については同様に構成されている。
【０１１４】
制御部１０３は、第１の実施の形態による制御部３と同様、図示しないＣＰＵを中心に構成されており、図示しないＲＯＭやフラッシュメモリ等から所定のプログラムを読み出して実行することにより、入金取引に関する種々の処理を行う。また制御部１０３は、図示しない記憶部に各種プログラム等を記憶させている。ただし制御部１０３は、第１の実施の形態と一部異なる重送解消処理を行うようになっている（詳しくは後述する）。
【０１１５】
第１搬送アクチュエータ１２７及び第２搬送アクチュエータ１２８は、何れも第１の実施の形態における搬送アクチュエータ２７と同様に構成されているものの、駆動力の伝達先が第１の実施の形態と相違している。すなわち第１搬送アクチュエータ１２７は、アライナ部１３の第２搬送ローラ対４２及び第３搬送ローラ対４３、並びに第１幅寄せローラ対４４及び第２幅寄せローラ対４５に駆動力を伝達している。また第２搬送アクチュエータ１２８は、スキャナ部１４の第２搬送路Ｗ２及び第３搬送路Ｗ３に沿って配置された各搬送ローラ対に駆動力を伝達している。
【０１１６】
［２−１．重送解消処理］
次に、第２の実施の形態における重送解消処理について、図６と対応する図１２に示すフローチャートを参照しながら説明する。
【０１１７】
制御部１０３は、入金読取処理の実行中に、重送検知センサ４７から得られる検知信号を基に重送を検知した場合、すなわち分離部１２から小切手ＣＫが２枚以上重ねられた状態で繰り出されたと判断した場合、重送解消処理手順ＲＴ２（図１２）を開始し、最初のステップＳＰ１１へ移る。
【０１１８】
このとき小切手処理装置１０１では、図７と対応する図１３に示すように、分離部１２により先行して正常に分離された小切手ＣＫ１、ＣＫ２、ＣＫ３、ＣＫ４及びＣＫ５が、第１搬送路Ｗ１から第２搬送路Ｗ２及び第３搬送路Ｗ３に沿って搬送され、スキャナ部１４により画像データが生成されてから、エスクロ部１６に収納されつつあるものとする。またこのとき小切手処理装置１０１では、分離部１２により小切手ＣＫ６及びＣＫ７を正しく分離できず、両者が重なった状態で該分離部１２から繰り出され、重送検知センサ４７により重送が検知されたものとする。さらに小切手ＣＫ６は、第１搬送ローラ対４１よりも後方へ搬送され、該第１搬送ローラ対４１により挟持できない位置にあるものとする。
【０１１９】
ステップＳＰ１１において制御部１０３は、ステップＳＰ１（図６）と同様、第２搬送ローラ対４２及び第３搬送ローラ対４３を伝達状態から非伝達状態に遷移させ、次のステップＳＰ１２に移る。これによりアライナ部１３では、第１の実施の形態（図７）と同様に、重なっている小切手ＣＫ６及び７が、第２搬送ローラ対４２及び第３搬送ローラ対４３、並びに第１幅寄せローラ対４４及び第２幅寄せローラ対４５の何れにも挟持されていない状態となる。
【０１２０】
このとき小切手処理装置１０１では、第２搬送アクチュエータ１２８が引き続き正転方向に回転しているため、第１の実施の形態と同様、スキャナ部１４において各搬送ローラ対が回転を継続し、小切手ＣＫを入金読取処理における搬送方向に沿って搬送する。すなわち小切手ＣＫ１〜ＣＫ５は、何れも第１搬送路Ｗ１、第２搬送路Ｗ２及び第３搬送路Ｗ３を結ぶ搬送経路に沿って搬送され、スキャナ部１４により画像データが生成された上で、エスクロ部１６に収納されていく。
【０１２１】
ステップＳＰ１２において制御部１０３は、第１搬送アクチュエータ１２７を停止させ、次のステップＳＰ１３に移る。これにより第２搬送ローラ対４２及び第３搬送ローラ対４３、並びに第１幅寄せローラ対４４及び第２幅寄せローラ対４５は、それぞれの回転を停止させる。
【０１２２】
ステップＳＰ１３において制御部１０３は、ステップＳＰ２（図６）と同様に分離アクチュエータ２５を逆転方向に回転させて、次のステップＳＰ１４に移る。これにより、第１搬送ローラ対４１の第１駆動ローラ５２（図４）及びフィードローラ３３は、何れも図４における反時計回りに回転する。ただしこの場合、小切手処理装置１０１は、第１の実施の形態と異なり、第１搬送ローラ対４１により挟持している小切手ＣＫ７を前方向へ進行させるものの、図１４に示すように、該第１搬送ローラ対４１により挟持していない小切手ＣＫ６を搬送できないため、アライナ部１３に残留させる。
【０１２３】
因みに小切手処理装置１０１では、第２搬送アクチュエータ１２８が引き続き正転方向に回転しているため、小切手ＣＫ１〜ＣＫ５を、入金読取処理における搬送方向に沿って搬送し続ける。換言すれば、小切手処理装置１０１では、正常に分離された小切手ＣＫ１〜ＣＫ５が搬送方向に搬送され、小切手ＣＫ６がアライナ部に残留し、小切手ＣＫ７が搬送方向と反対の方向へ進行することになる。
【０１２４】
ステップＳＰ１４において制御部１０３は、ステップＳＰ３（図６）と同様に、前方向へ進行させていた小切手ＣＫ７の先端が分離ゲート１２Ｇよりも前側まで搬送されたか否かを判定する。ここで否定結果が得られると、制御部１０３はこのステップＳＰ１４を繰り返すことにより、小切手ＣＫ７の先端が分離ゲート１２Ｇよりも前側まで引き込まれるのを待ち受ける。
【０１２５】
一方、ステップＳＰ１４において肯定結果が得られると、制御部１０３は次のステップＳＰ１５に移り、監視センサ４８（図３及び図４）から得られる検知信号を基に、小切手ＣＫがアライナ部１３内に残留しているか否かを判定する。ここで肯定結果が得られると、このことはアライナ部１３内に小切手ＣＫ（すなわち小切手ＣＫ６）が残留していること、さらに幅寄せを完了しているか否かが不明であり分離部１２に戻して分離処理及び幅寄せ処理を行うべきであることを表している。このとき制御部１０３は、次のステップＳＰ１６へ移る。
【０１２６】
ステップＳＰ１６において制御部１０３は、第２搬送ローラ対４２及び第３搬送ローラ対４３を非伝達状態から伝達状態に遷移させることにより、残留している小切手ＣＫを挟持して、次のステップＳＰ１７へ移る。因みにこの場合、ステップＳＰ１２において第１搬送アクチュエータ１２７が停止したままとなっているため、第２搬送ローラ対４２及び第３搬送ローラ対４３も停止している。
【０１２７】
ステップＳＰ１７において制御部１０３は、第１搬送アクチュエータ１２７を逆転させることにより、アライナ部１３内に残留している小切手ＣＫを前方へ進行させ、次のステップＳＰ１８へ移る。このとき小切手ＣＫは、前方へ進行することにより第１搬送ローラ対４１により挟持され、分離部１２内へ搬送されていく。
【０１２８】
因みに小切手処理装置１０１では、やはり第２搬送アクチュエータ１２８が引き続き正転方向に回転しているため、小切手ＣＫ１〜ＣＫ５を、入金読取処理における搬送方向に沿って搬送し続ける。
【０１２９】
ステップＳＰ１８において制御部１０３は、ステップＳＰ１４と同様、前方向へ進行させていた小切手ＣＫの先端が分離ゲート１２Ｇよりも前側まで搬送されたか否かを判定する。ここで否定結果が得られると、制御部１０３はこのステップＳＰ１４を繰り返すことにより、小切手ＣＫの先端が分離ゲート１２Ｇよりも前側まで搬送されるのを待ち受ける。一方、ステップＳＰ１８において肯定結果が得られると、制御部１０３は次のステップＳＰ２０へ移る。
【０１３０】
一方、ステップＳＰ１５において否定結果が得られると、このことは第１の実施の形態と同様に、重なっていた小切手ＣＫを全て分離部１２内へ引き戻し得たことを表している。このとき制御部１０３は、次のステップＳＰ１９に移り、ステップＳＰ４（図６）と同様に第２搬送ローラ対４２及び第３搬送ローラ対４３を非伝達状態から伝達状態に遷移させ、次のステップＳＰ２０に移る。
【０１３１】
ステップＳＰ２０において制御部１０３は、停止又は逆転していた第１搬送アクチュエータ１２７を正転させることにより、第２搬送ローラ対４２（図４）等において小切手ＣＫを後方へ搬送し得るように各ローラを回転させて、次のステップＳＰ２１へ移る。
【０１３２】
ステップＳＰ２１において制御部１０３は、ステップＳＰ５（図６）と同様に分離アクチュエータ２５を正転方向に回転させるよう制御して、再度反転させる。これにより第１搬送ローラ対４１の第１駆動ローラ５２（図４）及びフィードローラ３３は、通常の入金読取処理を再開する。その後、制御部１０３は、次のステップＳＰ２２へ移って重送解消処理手順ＲＴ２を終了する。
【０１３３】
［２−２．効果等］
以上の構成において、第２の実施の形態による小切手処理装置１０１では、入金読取処理において重送が発生した場合、第２搬送ローラ対４２及び第３搬送ローラ対４３を停止させた上で伝達状態から非伝達状態に遷移させ、第１搬送ローラ対４１等を逆転させて小切手ＣＫを分離ゲート１２Ｇよりも前方へ戻す（図１３）。
【０１３４】
これにより小切手処理装置１０１は、重送を検知した時点において第１搬送ローラ対４１により挟持していた小切手ＣＫについては、第１の実施の形態と同様に、分離部１２における分離ゲート１２Ｇよりも前方に引き戻して、再度分離処理を行うことができる。
【０１３５】
また小切手処理装置１０１は、後端が第１搬送ローラ対４１よりも後方に位置しており前方へ搬送できずに残留していた小切手ＣＫ（小切手ＣＫ６等）については、第２搬送ローラ対４２等を伝達状態に遷移させ、且つ各ローラを逆転させる。これにより小切手処理装置１０１は、残留していた小切手ＣＫも前方へ搬送させて、分離部１２における分離ゲート１２Ｇよりも前方へ引き戻すことができる。
【０１３６】
さらに小切手処理装置１０１では、第１搬送アクチュエータ１２７及び第２搬送アクチュエータ１２８により、アライナ部の各搬送ローラ対と、スキャナ部の各搬送ローラ対とを、互いに独立に制御することができる。このため小切手処理装置１０１では、アライナ部１３に残留した小切手ＣＫを搬送するために第２搬送ローラ対４２等を逆転させる場合であっても、スキャナ部１４の各搬送ローラ対を引き続き正転させることができ、小切手ＣＫを搬送方向に搬送し続けることができる。
【０１３７】
この結果、小切手処理装置１０１は、第１の実施の形態と比較して、より多様な状況において、小切手ＣＫを分離部１２内へ戻して再度分離処理を行うことができ、入金読取処理を正常に完了する割合を高めることができる。
【０１３８】
その他の点においても、第２の実施の形態による小切手処理装置１０１は、第１の実施の形態と同様の作用効果を奏し得る。
【０１３９】
以上の構成によれば、第２の実施の形態による小切手処理装置１０１は、入金読取処理において重送が発生した場合、第２搬送ローラ対４２等を非伝達状態に遷移させ、フィードローラ３３等を逆転させて小切手ＣＫを分離ゲート１２Ｇよりも前方へ戻す。このとき小切手処理装置１０１は、アライナ部１３に残留した小切手ＣＫがあれば、第２搬送ローラ対４２等を伝達状態に遷移させて逆転させることにより、分離ゲート１２Ｇよりも前方へ戻す。その後、小切手処理装置１０１は、フィードローラ３３等を正転させて入金読取処理を再開する。これにより小切手処理装置１０１では、正常に１枚ずつに分離された小切手ＣＫについて入金読取処理をそのまま継続する一方、重送された小切手ＣＫのみを分離ゲート１２Ｇよりも前方に戻して分離部１２による分離処理を再度行うことができ、入金取引処理を極めて短い時間で完了できる。
【０１４０】
［３．他の実施の形態］
なお上述した第１の実施の形態においては、重送解消処理（図６）において第２搬送ローラ対４２及び第３搬送ローラ対４３を伝達状態から非伝達状態に遷移させる場合について述べた（ステップＳＰ１）。しかしながら本発明はこれに限らず、例えば重送を検知した段階で第２搬送ローラ対４２及び第３搬送ローラ対４３が既に非伝達状態であり、且つ第１幅寄せローラ対４４及び第２幅寄せローラ対４５が伝達状態であった場合に（図４（Ｂ））、この第１幅寄せローラ対４４及び第２幅寄せローラ対４５を非伝達状態に遷移させても良い。要は、第１搬送ローラ対４１を逆転させて小切手ＣＫを前方へ搬送するときに、該小切手ＣＫに搬送の妨げとなる力を作用させなければ良い。第２の実施の形態についても同様である。
【０１４１】
また上述した第１の実施の形態においては、重送解消処理において重送された小切手ＣＫを逆送させるときに、正常に分離された他の小切手ＣＫを搬送経路に沿って搬送する場合について述べた。しかしながら本発明はこれに限らず、例えば重送された小切手ＣＫを逆送させる間、正常に分離された他の小切手ＣＫを停止させておき、逆送の完了後に、正常に分離された他の小切手ＣＫの搬送を再開しても良い。第２の実施の形態についても同様である。
【０１４２】
さらに上述した第１の実施の形態においては、第２搬送ローラ対４２等において、スプリング６４及び持上部６５の組合せでなる状態遷移部６３により、第２プレス軸６１及び第２プレスローラ６２を上下方向へ移動させて、伝達状態（図５（Ａ））又は非伝達状態（図５（Ｂ））に遷移させる場合について述べた。しかしながら本発明はこれに限らず、その他種々の構成でなる状態遷移部によって、第２プレス軸６１及び第２プレスローラ６２又は第２駆動軸６６及び第２駆動ローラ６７を種々の方向へ変位させても良い。要は、小切手ＣＫを挟持して駆動力を伝達する伝達状態と、該小切手ＣＫを挟持せず駆動力を伝達しない非伝達状態とに遷移できれば良い。第２の実施の形態についても同様である。
【０１４３】
さらに上述した第１の実施の形態においては、分離アクチュエータ２５から分離部１２の各ローラ及びアライナ部１３の第１搬送ローラ対４１に駆動力を伝達し、搬送アクチュエータ２７からスキャナ部１４内の各搬送ローラ対並びにアライナ部１３の第２搬送ローラ対４２等に駆動力を伝達する場合について述べた。しかしながら本発明はこれに限らず、任意数のアクチュエータから種々の搬送ローラ対にそれぞれ駆動力を伝達しても良い。この場合、少なくとも分離部１２の各ローラと、スキャナ部１４の搬送ローラ対とを、互いに独立して制御できれば良い。また、アライナ部１３の第１搬送ローラ対４１については、分離部１２の各ローラと同様に制御できることが望ましい。第２の実施の形態についても同様である。
【０１４４】
さらに上述した第１の実施の形態においては、アライナ部１３に、第１搬送ローラ対４１の他に２組の搬送ローラ対（第２搬送ローラ対４２及び第３搬送ローラ対４３）と２組の幅寄せローラ対（第１幅寄せローラ対４４及び第２幅寄せローラ対４５）を設ける場合について述べた。しかしながら本発明はこれに限らず、第１搬送ローラ対４１の他に、任意数の搬送ローラ対及び任意数の幅寄せローラ対をそれぞれ設けるようにしても良い。また、左右方向に並べる各ローラ対の数については、図２及び図３に示したように、第１幅寄せローラ対４４のように１対としても良く、また第２搬送ローラ対４２のように２対としても良く、さらには３対以上としても良い。第２の実施の形態についても同様である。
【０１４５】
さらに上述した第１の実施の形態においては、第１搬送ローラ対４１よりも後側、すなわち入金読取処理において小切手ＣＫを搬送する搬送方向に関して下流側に、第１センサ４６及び重送検知センサ４７を配置する場合について述べた。しかしながら本発明はこれに限らず、例えば第１搬送ローラ対４１よりも前側、すなわち上流側に第１センサ４６及び重送検知センサ４７の少なくとも一方を配置しても良い。第２の実施の形態についても同様である。
【０１４６】
さらに上述した第１の実施の形態においては、重送解消処理（図６）において、分離残留検知センサ３７からの検知信号において小切手ＣＫを検知しなくなった時点から、所定のパルス数だけ分離アクチュエータ２５を逆転させたことを基に、小切手ＣＫの先端が分離ゲート１２Ｇまで後退したと判断する場合について述べた（ステップＳＰ３）。しかしながら本発明はこれに限らず、例えば分離ゲート１２Ｇの直近に専用のセンサを設け、このセンサから得られる検知信号を基に、小切手ＣＫの先端が分離ゲート１２Ｇまで後退したと判断しても良い。第２の実施の形態についても同様である。
【０１４７】
さらに上述した第２の実施の形態においては、重送解消処理（図１２）のステップＳＰ１５において、監視センサ４８（図３及び図４）から得られる検知信号を基に、小切手ＣＫがアライナ部１３内に残留しているか否かを判定する場合について述べた。しかしながら本発明はこれに限らず、例えば第１センサ４６や重送検知センサ４７等、他の種々のセンサから得られる検知結果やこれらの組合せを基に、小切手ＣＫがアライナ部１３内に残留しているか否かを判定しても良い。
【０１４８】
さらに上述した第２の実施の形態においては、重送解消処理（図１２）のステップＳＰ１７において、第２搬送ローラ対４２等を逆転させることにより、残留していた小切手ＣＫを逆搬送方向へ搬送する場合について述べた。しかしながら本発明はこれに限らず、例えば幅寄せ完了検知センサ４９から得られる検知信号等を基に、この小切手ＣＫが幅寄せを完了していると判断した場合に、この小切手ＣＫを搬送方向へ搬送してスキャナ部１４へ引き渡しても良い。
【０１４９】
さらに上述した第１の実施の形態においては、小切手を取り扱う小切手処理装置１に本発明を適用する場合について述べた。しかしながら本発明はこれに限らず、例えば紙幣や証券、或いは商品券等、種々の紙葉状の媒体を取り扱う種々の装置に本発明を適用しても良い。特に本発明は、利用者に複数の媒体を重ねた状態で投入させ、この媒体を１枚ずつに分離してから各種処理を行う場合に好適である。第２の実施の形態についても同様である。
【０１５０】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１５１】
さらに上述した第１の実施の形態においては、分離部としての分離部１２と、重送検知部としての重送検知センサ４７と、第１搬送部としてのアライナ部１３と、第２搬送部としてのスキャナ部１４と、制御部としての制御部３とによって媒体処理装置としての小切手処理装置１を構成する場合について述べた。しかしながら本発明はこれに限らず、その他種々の構成でなる分離部と、重送検知部と、第１搬送部と、第２搬送部と、制御部とによって媒体処理装置を構成しても良い。
【産業上の利用可能性】
【０１５２】
本発明は、例えば束状に集積された状態で投入された小切手を１枚ずつに分離して入金取引を行う小切手処理装置でも利用できる。
【符号の説明】
【０１５３】
１、１０１……小切手処理装置、３、１０３……制御部、１１……バンドル部、１２……分離部、１２Ｇ……分離ゲート、１３……アライナ部、１４……スキャナ部、１５……第１切替部、１６……エスクロ部、２５……分離アクチュエータ、２７……搬送アクチュエータ、３１……ピッカローラ、３３……フィードローラ、３４……リバースローラ、３７……分離残留検知センサ、４０Ｄ……下搬送ガイド、４０Ｒ……右搬送ガイド、４０Ｕ……上搬送ガイド、４１……第１搬送ローラ対、４２……第２搬送ローラ対、４３……第３搬送ローラ対、４４……第１幅寄せローラ対、４５……第２幅寄せローラ対、４６……第１センサ、４７……重送検知センサ、４８……監視センサ、４９……幅寄せ完了検知センサ、６１……第２プレス軸、６２……第２プレスローラ、６３……状態遷移部、６４……スプリング、６５……持上部、６６……第２駆動軸、６７……第２駆動ローラ、１２７……第１搬送アクチュエータ、１２８……第２搬送アクチュエータ、ＣＫ……小切手、ＣＫＢ……束小切手、Ｗ１……第１搬送路、Ｗ２……第２搬送路、Ｗ３……第３搬送路。
【図１】
2018188278.tif 000003
【図２】
2018188278.tif 000004
【図３】
2018188278.tif 000005
【図４】
2018188278.tif 000006
【図５】
2018188278.tif 000007
【図６】
2018188278.tif 000008
【図７】
2018188278.tif 000009
【図８】
2018188278.tif 000010
【図９】
2018188278.tif 000011
【図１０】
2018188278.tif 000012
【図１１】
2018188278.tif 000013
【図１２】
2018188278.tif 000014
【図１３】
2018188278.tif 000015
【図１４】
2018188278.tif 000016